(57)【要約】【課題】  本発明は、使用者にとって利便性や実用性の高い食品保存用のダイヤル部材と容器体を提供する。【解決手段】  本発明は、食品用保存部材の正面部において、周囲に１〜３１の日目盛りを設けたダイヤル８と、このダイヤルの内側部又は外側部に１〜１２の月目盛りを設けたダイヤル１１と、前記両ダイヤルの日目盛りと月目盛りとを合わせる基準矢印６とから成る食品保存用ダイヤル部材である。また本発明は、任意形状の器体１に被蓋する蓋体２の側面一部に正面部材４を設け、この正面部材には周囲に日目盛を設けたダイヤルと、このダイヤルの内側部又は外側部に月目盛りを設けたダイヤルと、前記両ダイヤルの日目りと月目盛りとを合わせる基準矢印を前記正面部材の一部に設け、また前記蓋体の平面部を凹面形状３に形成して成る食品保存容器である。【選択図】    図１
2007223662.tif 000002
【特許請求の範囲】
【請求項１】
食品用保存部材の正面部において、周囲に日目盛りを設けたダイヤルと、このダイヤルの内側部又は外側部に月目盛りを設けたダイヤルと、前記両ダイヤルの日目盛りと月目盛りとを合わせる基準矢印と、から成ることを特徴とする食品保存用ダイヤル部材。
【請求項２】
食品用保存部材の正面部において、周囲に１〜３１の日目盛りを設けた外ダイヤルと、この外ダイヤルの内側部に１〜１２の月目盛りを設けた内ダイヤルと、前記外ダイヤルの外側上部の固定部に設けた基準矢印と、から成る食品保存用ダイヤル部材。
【請求項３】
周囲に１〜３１の日目盛りを設けた外ダイヤルと、この外ダイヤルの内側部に１〜１２の月目盛りを設けた内ダイヤルと、前記外ダイヤルの適所に設けた摘みと、前記内ダイヤルの中央部に設けた摘み部と、前記外ダイヤルの外側上部の固定部に設けた基準矢印とから成るダイヤル部材の適所に任意の固定手段を設けて成る食品保存用ダイヤル部材。
【請求項４】
任意形状の器体に被蓋する蓋体の側面一部に正面部材を設け、この正面部材には周囲に日目盛りを設けたダイヤルと、このダイヤルの内側部又は外側部に月目盛りを設けたダイヤルと、前記両ダイヤルの日目盛りと月目盛りとを合わせる基準矢印を前記正面部材の一部に設けて成る食品保存容器。
【請求項５】
任意形状の器体に被蓋する蓋体の側面一部に正面部材を設け、この正面部材には周囲に日目盛りを設けたダイヤルと、このダイヤルの内側部又は外側部に月目盛りを設けたダイヤルと、前記両ダイヤルの日目盛りと月目盛りとを合わせる基準矢印を前記正面部材の一部に設け、前記蓋体の平面部を凹面形状に形成して成る食品保存容器。
【請求項６】
食品袋体を挟み固定するクリップ体の一部の正面部において、周囲に日目盛りを設けたダイヤルと、このダイヤルの内側部又は外側部に月目盛りを設けたダイヤルと、前記両ダイヤルの日目盛りと月目盛りとを合わせる基準矢印を設けて成る食品用保存部材。
【発明の詳細な説明】
【技術分野】
【０００１】
本発明は、一般家庭で使用する食品保存用のダイヤル部材及び食品保存容器に関するものである。
【背景技術】
【０００２】
従来から存する食品保存用容器としては、例えば下記のようなものに見られるとおり、各種食品の賞味期限を月日で明示するためのダイヤル機構を容器蓋体の平面部分に設置しているものであり、見易い正面方向からの直視ができない形態のものとなっていたし、蓋体が容器体上に同形状の容器体を確実にスタッキングすることができる形態とはなっていないため、いずれも実用性の乏しいものであった。
【０００３】
【特許文献１】登録実用新案第３００８５８２号公報
【特許文献２】特許第２８７９２１２号公報
【特許文献３】特許第３５６０５３８号公報
【特許文献４】特開２００４−１８４９５３号公報
【０００４】
例えば、特許文献２は図面に見られるように、蓋体の上周面部に日目盛りを表示し、この日目盛りを指す日付指示部を回転体の上面部に設置した摘み部に設け、前記蓋体に貫通した蒸気抜孔を開閉する切替え機構を前記回転体上に設け、これによって電子レンジで暖めて調理するときに容器内に発生する蓋気が蒸気抜孔から解放されるものである。
【０００５】
また、特許文献３の図面には、容器体の側面部に開封日と賞味期限日とを表示する２つの日付表示機構を設けた構成のものが見られる。
【０００６】
しかしながら、いずれの発明も本発明とは全く異なる目的のものであり、使用者にとっての利便性や実用性の面ではいずれも欠点が大きいものであった。
【発明の開示】
【発明が解決しようとする課題】
【０００７】
そこで、本発明は従来のこのような利便性の低い保存容器の欠点を一掃した新機軸の食品保存容器を提供し、使用者が正面視できることによって、保存食品の賞味期限を遵守することを容易にすることを目的とするものである。
【課題を解決するための手段】
【０００８】
本発明は、食品用保存部材の正面部において、周囲に１〜３１の日目盛りを設けたダイヤルと、このダイヤルの内側部又は外側部に１〜１２の月目盛りを設けたダイヤルと、前記両ダイヤルの日目盛りと月目盛りとを合わせる基準矢印とから成る食品保存用ダイヤル部材である。
【０００９】
また本発明は、任意形状の器体に被蓋する蓋体の側面一部に正面部材を設け、この正面部材には周囲に日目盛を設けたダイヤルと、このダイヤルの内側部又は外側部に月目盛りを設けたダイヤルと、前記両ダイヤルの日目りと月目盛りとを合わせる基準矢印を前記正面部材の一部に設け、また前記蓋体の平面部を凹面形状に形成して成る食品保存容器である。
【発明の効果】
【００１０】
第１に、内外二重のダイヤル構造によって月目盛りの表示と日目盛りの表示とを基準矢印にそれぞれ合わせたダイヤル部が保存部材の正面部材に設置されているものであるから、ダイヤルは常に使用者の正面視座の位置にあり、使用者は保存部材内の食品の賞味期限を常に正確に指示して遵守することができるし、その取扱いはきわめて簡便であり、使い勝手がきわめて良い。
【００１１】
また、賞味期限が無関係の食品の場合であっても、保存開始の月日を確保しておく必要のある場合には、使用者は正面視できるダイヤル部を確実に視認することができるようになる。
【００１２】
第２に、蓋体平面部の凹面形状によって同一容器体のスタッキングが容易となり、所望数を安全に積重ねておくことができるから、狭い場所においても食品保存を安心して行うことができる。
【００１３】
第３に、特定の保存容器体を使用せず、本ダイヤル部材のみを用意したいときは、その裏面部に吸着盤を設けておけば、任意の場所に固定しておくことができるから、ダイヤル部材をクリップなどの取付け手段によって保存袋体に連結して使用すればよく、利便性がきわめて良い。
【発明を実施するための最良の形態】
【００１４】
保存容器体内に食品を収容した時は、まず外ダイヤルの日目盛りを見て摘みを回動し、賞味期限の日付をダイヤル部材上方の基準矢印の方向に合わせる。しかる後に、内ダイヤルの月目盛りを見てその摘み部を回動し、賞味期限の月付を前記基準矢印の方向に合わせる。もちろんダイヤルの回動操作の順番は、前記とは逆でもよい。これによって、「何月何日」が収容された食品の賞味期限であることが確定されるから、以後はこの月日に使用者は注意すればよい。図２の実施例では「２月２０日」となっている。
【００１５】
賞味期限と無関係の食品保存の場合であっても、保存開始の月日を確実に指示しておくために、基準矢印に対して月目盛りと日目盛りをそれぞれ合わせておく。
【００１６】
前記両ダイヤルの操作は、正面部材が保存容器体から独立しクリップ材で保存袋物を取付け吸着盤によって任意場所に固定するように使用する構成の場合であっても、同じである。
【００１７】
保存容器体内に食品を収容した後に所定場所に容器体を置く場合に、その数量が多かったり、場所が狭かったときには、同一容器体を積み重ねておかねばならなくなるから、下方の容器体の蓋体平面部の凹面形部上に上方の容器体の底面部を嵌置すればよく、これによって容器体はスタッキング状態になる。
【実施例】
【００１８】
１は保存容器体で、容器体の形状や大きさは任意であり、また透明，不透明は問わない。
【００１９】
２は前記保存容器体１に被蓋する蓋体で、この蓋体の平面部は凹面形部３に成る。この凹面形部３は、他の保存容器体のスタッキング時にその底面部分が嵌置するようになる。
【００２０】
４は前記蓋体２の一部に設けた正面部材で、この正面部材の傾斜平面部５の中央部には基準矢印６を設ける。
【００２１】
７は前記正面部材４に設けた円形凹部で、この円形凹部の周囲には１〜３１の日目盛りを表示した外ダイヤル８を設置する。
【００２２】
９，９は前記外ダイヤル８の日付１と３１との間に，及び１５と１６との間にそれぞれ設けた摘みで、この摘みにより外ダイヤルを回動操作する。
【００２３】
１０は前記外ダイヤル８に設けた円形凹部で、この円形凹部の周囲には１〜１２の月目盛りを表示した内ダイヤル１１を設置する。この内ダイヤル１１は前記外ダイヤル８の円形凹部１０の中心に設けた突軸１２に枢着する。
【００２４】
１３は前記内ダイヤル１１の中央部に設けた垂直形の摘み部で、この摘み部により内ダイヤルを回動操作する。
【００２５】
１４は前記蓋体２の内側部周囲に設けた突鍔部で、この突鍔部にはパッキング１５を設けて容器体内部を密閉し、保存容器体内部の食品管理を確実にする。
【００２６】
１６は内外両ダイヤル８，１１を設けた正面部材４の裏面部に設けた吸着盤で、前記正面部材を独立して使用する場合には吸着盤を任意場所に取付けておく。
【００２７】
１７は任意形状のクリップ材で、このクリップ材の正面部には外内二重に成るダイヤル部材１８を設置する。
【００２８】
前記ダイヤル部材１８は、その上側中心部に設けた基準矢印１９にいずれも合わせるべく、周囲に月目盛りの１〜１２を表示した外ダイヤル２０と、この外ダイヤルの内側部に周囲に日目盛りの１〜３１を表示した内ダイヤル２１とから成る。
【００２９】
前記外ダイヤル２０と内ダイヤル２１の目盛り表示は、月目盛りと日目盛りとを逆に構成してもよい。
【００３０】
２２，２２は前記外ダイヤル２０上の摘み、２３は前記内ダイヤル２１上の摘み部である。
【００３１】
２４は前記クリップ材１７の裏面部適所に設けた磁石で、冷蔵庫の外壁面などの任意場所に取付ける。
【００３２】
ａは任意の保存袋体である。
【図面の簡単な説明】
【００３３】
【図１】全体の分離状態を示す斜視図
【図２】全体の使用状態を示す正面図
【図３】全体の中心部縦断面図
【図４】要部の正面図
【図５】他例要部の側面図
【図６】他々例要部の正面図
【図７】図６例の背面図
【図８】図６例の使用状態を示す側面図
【符号の説明】
【００３４】
１                    保存容器体
２                    蓋体
３                    凹面形部
４                    正面部材
６                    基準矢印
８                    外ダイヤル
９，９                摘み
１１                  内ダイヤル
１３                  摘み部
１５                  パッキング
１６                  吸着盤
１７                  クリップ材
１８                  ダイヤル部材
１９                  基準矢印
２０                  外ダイヤル
２１                  内ダイヤル
２２，２２            摘み
２３                  摘み部
２４                  磁石
【図１】
2007223662.tif 000003
【図２】
2007223662.tif 000004
【図３】
2007223662.tif 000005
【図４】
2007223662.tif 000006
【図５】
2007223662.tif 000007
【図６】
2007223662.tif 000008
【図７】
2007223662.tif 000009
【図８】
2007223662.tif 000010